(57)【要約】【課題】従来の建築物倒壊防止補助構造体として用いられている補強金具及びその設置工法は、床組部材の木部と木部又は小屋組部材の木部と木部、あるいは床組部材や壁面部材の木部に布基礎を緊結固定するもので、その多くは天井裏や床下へ入り施工するというものであった為、施工は困難であり費用が高額な割にはその効果は不十分なものであった。又建築物と地盤との緊結固定を考慮していない為躯体構造としての強度は不十分なものであった。【解決手段】建築物の柱（壁面部）と土台と布基礎にＬ字状金具の垂直面を、ネジ等の締結具を用いて固定しその上で建築物外周にＬ字状金具の水平面（底辺）を固定する為の外周基礎を設置し、Ｌ字状金具の水平面（底辺）をネジ等の締結具又はアンカーボルトなどの固定具にて緊結固定する。【選択図】        図１
2004176407.tif 000002
【特許請求の範囲】
【請求項１】
建築物倒壊防止補助構造体であって、Ｌ字状金具の垂直面を建築物の柱と土台と布基礎が一体構造体となるように締結具を用いて固定し、前記建築物外周に前記Ｌ字状金具の水平面を固定する外周基礎を設置し、前記Ｌ字状金具の水平面を前記外周基礎に締結具又は固定具を用いて固定することを特徴とする建築物倒壊防止補助構造。
【発明の詳細な説明】
【０００１】
【発明の属する技術分野】
本発明は地震等の震動による建築物の倒壊や傾斜防止補助構造に関するものである。
【０００２】
【従来の技術】
従来の建築物倒壊防止補助構造及びそれ等の工法は床組部材の木部と木部、小屋組部材の木部と木部を緊結固定するものであった。（例えば特許文献１参照）
又は床組部材や壁面部材の木部と布基礎を緊結固定する構造であった。（例えば特許文献２参照）
【０００３】
【特許文献１】
特開２０００−６４４２４号公報（第１頁、図１）
【特許文献２】
特開２００１−１７３１０８号公報（第１頁、図１）
【０００４】
【発明が解決しようとする課題】
しかしながら従来の技術は、取付工法や実効性や費用の面いずれにおいても高額且施工が面倒な割には効果不十分なものであった。
地震等による激しい振動が建築物に及んだとしても建築物の屋根と柱（壁）と土台（床）と基礎及び建築物内外の地盤が一体であればある程建築物が倒壊あるいは傾斜する危険性は減少すると考えられるにも拘わらず建築物と地盤との一体化は忘れ去られていた。
建築物が地震等の震動により地盤から遊離し傾斜しようとする力を分散し吸収し抑制すると同時に基礎と土台と柱及び小屋組部材等の各々の結合を維持する事が建築物倒壊を防止する上で重要な課題と考えられる。
【０００５】
【課題を解決するための手段】
本発明は上記の課題を解決する為に建築物の木造部分とコンクリート部分及び地盤を一体化させ、建築物としての躯体構造をより強固なものとする事を目的としている。
本発明は前記の目的を達成する為建築物倒壊防止補助構造体であってＬ字状金具の垂直面を建築物の柱と土台と布基礎が一体構造体となるように締結具を用いて固定し、前記建築物外周に前記Ｌ字状金具の水平面を固定する外周基礎を設置し、前記Ｌ字状金具の水平面を前記外周基礎に締結具又は固定具を用いて固定するものである。
これにより建築物の木造部分とコンクリート部分及び地盤を一体化させる事により建築物としての躯体構造をより強固なものとする事ができる。
【０００６】
【実施例】
実施例を示す図１．図２．図３．図４．図５により本発明を説明する。図１．図２に示すように柱１４、土台１３、布基礎１２、地中に埋設する外周基礎１１．へＬ字状金具１を木部用ネジ３あるいはコンクリート用ネジ５などの締結具又はアンカーボトル６などの固定具及びワッシャー４を用いて取り付け固定するもので、この際Ｌ字状金具１には衝撃に耐える為にＬ字状金具の折り曲げ（クランク）部の補強部分３１などを加えると良い。
【０００７】
本発明に使用するＬ字状金具１は耐震強度と耐腐蝕性を備えたステンレスなどの金属類で形成されており、Ｌ字状金具１の厚みは１ｃｍ〜５ｃｍ、好ましくは１．５ｃｍ〜３ｃｍ程とし、Ｌ字状金具１中央部及び両側面部へは骨格としての補強部分を設けるものとする。
図３．図４．図５により具体的に示すとＬ字状金具１の折り曲げ（クランク）部の補強部分３１、垂直面中央部の補強部分３２、垂直面両側面部の補強部分３３、水平面（底辺）中央部の補強部分３４、水平面（底辺）両側面部の補強部分３５の如くＬ字状金具１の中央部及び両側面部へ補強部分を設けることができる。
【０００８】
Ｌ字状金具１は地表（ＧＬ）より１ｍ〜２ｍ、好ましくは１．５ｍ前後、土台よりは０．５ｍ〜１．５ｍ好ましくは１ｍ前後位の高さ迄取り付けるものとするが、図８、図９に示すように桁１５部分迄設置しても良い。
Ｌ字状金具１を地中に埋設する深さについては地中の深さつまり延長が長くなればなる程衝撃に対する抵抗力は弱まる為地表（ＧＬ）より５ｃｍ〜５０ｃｍ好ましくは１０ｃｍ〜１５ｃｍと浅い部分での設置が望まれる。
Ｌ字状金具１の地中における布基礎１２部分より水平方向への延長についても前記と同様の理由により、０．５ｍ〜２ｍ好ましくは１ｍ程とし、Ｌ字状金具１の折り曲げ部分については折損強度を強化すべく１ｃｍ〜５ｃｍ程の厚みと幅を持たせたＬ字状金具の折り曲げ（クランク）部の補強部分３１を設けても良い。
【０００９】
地中に設置する外周基礎１１は地盤を転圧した上でＬ字状金具１の水平面（底辺）下に亀裂防止の為、鉄筋コンクリート製の縦（長さ）３０ｃｍ〜１００ｃｍ、横（幅）２０ｃｍ〜５０ｃｍ、高さ２０ｃｍ〜５０ｃｍ程の外周基礎１１を設置するものとし、Ｌ字状金具１の水平面（底辺）と外周基礎１１とは締結具であるコンクリート用ネジ５又はアンカーボルト６などの固定具により緊結固定するものとする。
【００１０】
図６．図７に示すようにＬ字状金具４１，４２の設置を建築物の平面（側面）部のみでなくコーナー部分へも設置するものとする。
具体的には、見えがかり部分（外壁面）となる柱の２側面に対して建築物の平面部に設置するＬ字状金具１を２ヶ所分合体させ使用する事となるが、施工上は外壁面に露出する柱と土台と布基礎面を囲むように成型したコーナー用変形Ｌ字状金具を使用する事となる。
この場合コーナー用変形Ｌ字状金具の水平面（底辺）は二股とした二股型変形Ｌ字状金具４１又は扇状とした扇型変形Ｌ字状金具４２などを使用する。
Ｌ字状金具１を建築物の対角線上に、及び変形Ｌ字状金具４１や４２を設置する事により建築物をより強く固定する事ができる上に引く力と押す力が拮抗する為二重の強度が確保される。
【００１１】
Ｌ字状金具の設置箇所数は最低でも建築物の四隅以上、可能な限り多数とする事により建築物と地盤はより一体化される事となる。尚、設置するＬ字状金具の形状は壁面の形状や構造や強度及び地盤の状況等に合わせ上下左右に延長し拡幅あるいは厚み等を自由に変更する事ができる。
【００１２】
本発明による他の実施例を図８にて記す。
いずれもＬ字状金具や建築物本体の張力や耐久力を高める事を目的とする示例である。
符号４３のＬ字状金具は垂直面を桁１５部分迄延長した場合の示例である。
符号４４のＬ字状金具は垂直面をかもい１７部分迄延長し、更にＬ字状金具１の水平面（底辺）を二股にした示例である。
符号４５のＬ字状金具は土台部分を土台に沿って延長し隣接する柱と柱の間を連結させた示例である。
符号４６のＬ字状金具は柱１４基部から１０ｃｍ〜３０ｃｍ程の高さ迄と土台１３と布基礎１２部分及び埋設するＬ字状金具１の水平面（底辺）を拡幅した示例である。
符号４７のＬ字状金具は入隅部へ設置した示例である。
符号４８のＬ字状金具は２×４住宅におけるの設置状況を示す示例である。
符号４９のＬ字状金具は水平面（底辺）を扇状とし、土台１３部分へもＬ字状金具を拡幅した示例である。
【００１３】
図８の符号４８のＬ字状金具は２×４住宅用に用いた実施例について記す。
軸組工法ではない２×４住宅などの場合でも地表（ＧＬ）より１．２ｍ〜１．８ｍの高さの位置にある２×４住宅における支柱相当部分１６の１ヶ所あるいは３ヶ所を水平金具７にて固定し、外周基礎１１より布基礎１２及び土台１３部分を経て立ち上がるＬ字状金具と緊結固定すれば同様の効果を確保できる。
【００１４】
図８の符号４３、符号４４及び図９に示すようにＬ字状金具の上方への延長を小屋組部材である桁１５又はかもい１７部分迄伸ばし設置する事により、地震等による振動を建築物全体で吸収し分散し抑制する事が可能となる為建築物としての耐震力を向上させる事が出来る。
【００１５】
Ｌ字状金具と建築物との間に生ずる空間部分については図１に示すように空間部分を埋め震動を吸収させる為にゴム又は弾性樹脂類にて形成したパッキン（スペーサー）２をはさみ込み同時にコーキング剤にて防水処理を行う事により雨水の浸入を防止する。
又Ｌ字状金具取り付けの際、壁面部分と布基礎部分等に段差が生じた場合には壁面部材を一部除去するか、布基礎部分にゴム又は弾性樹脂類にて形成したパッキン（スペーサー）２をはさみ込み高さ調整を行うものとする。
【００１６】
建築物へのＬ字状金具の取り付け位置についてはＬ字状金具と柱１４と土台１３と布基礎１２各々の部材の強度を低下させない範囲で各々の部材の中央あるいは上下左右に各１ヵ所又は２ヵ所ずつ設置するものとするが、現場状況に応じ増減することができる。
【００１７】
Ｌ字状金具に設ける締結用あるいは固定用のネジ穴の数量については、図２に示すように柱１４と土台１３と布基礎１２及び外周基礎１１に対応する部分の各々に１ヶ所〜８ヶ所、好ましくは２ヶ所〜４ヶ所とするが、使用する締結具であるネジの大きさや長さ及び各々の部材の表面積や体積や強度等により増減するものとする。
【００１８】
Ｌ字状金具に設ける締結用あるいは固定用のネジ穴の位置については、地表（ＧＬ）よりの布基礎１２の高さが基準となるが、一般的な規格製品としてＬ字状金具を製造する場合には土台１３の高さの中央部分に土台締結用ネジ穴２１を設けるものと想定した上で、その土台締結用ネジ穴２１を起点として上方１５ｃｍ〜２５ｃｍの位置に柱の最下部締結用ネジ穴２３を設け、同じく土台締結用ネジ穴２１を起点として下方１５ｃｍ〜２５ｃｍの位置に布基礎の最上部締結用ネジ穴２４を設けるものとする。
【００１９】
以上の如き締結用ネジ穴へのネジ止め作業によりＬ字状金具の垂直面における固定は一応終了するが、柱１４部分についてはＬ字状金具の上方先端部より２ｃｍ〜５ｃｍ程下部に、柱１４の最上部締結用ネジ穴２２を又布基礎１２部分についてはＬ字状金具の地表（ＧＬ）より上方５ｃｍ〜１５ｃｍの箇所につまり布基礎１２の高さにより変動するのであるが土台締結用ネジ穴２１を起点として下方３０ｃｍ、３５ｃｍ、４０ｃｍ、４５ｃｍ、５０ｃｍ、５５ｃｍ、６０ｃｍ、６５ｃｍ、７０ｃｍの箇所に布基礎１２の最下部締結用ネジ穴２５を設けるものとする。
尚、Ｌ字状金具の水平面（底辺）におけるネジ穴の位置つまり外周基礎締結用ネジ穴又は固定用ボルト穴２６は外周基礎１１の中央部あるいは外周基礎１１を２分割あるいは４分割した各々の中央付近に設ければ良い。
あらかじめ５タイプ〜１０タイプ程の規格品を製造しておき適合品を選択使用するものとするが、ネジ穴が不足あるいは不適応な場合には現場状況に応じＬ字状金具に穿孔を加えるものとする。
【００２０】
Ｌ字状金具他の使用器材を光沢模様や着色塗装など化粧仕上げとする事によりあるいはハンギングバスケットやウオールバスケットを取り付け可能とするなど壁面部を装飾化する事により、美観を維持増進することが可能であり、Ｌ字状金具の水平面（底辺）は地中に埋設する事により、目に見える事も、通行の邪魔になるような事もなくなる。
【００２１】
【発明の効果】
建築物の外周地盤に外周基礎を設置した上で建築物の柱（壁）と土台と布基礎と外周基礎が一体となるようにＬ字状金具を用いて各々の部材を緊結固定する。
その結果、建築物は建築物自体として又、地盤とも強固に結合される為地震等による激しい振動が建築物に及んでも振動を建築物全体及び地盤にて吸収し分散し抑制することができる為建築物の倒壊や狂いや傾斜の発生を軽減あるいは防止する事が可能となる。
本工事は原則として床下や天井裏等へ進入する事なく外部より施工できる為、工事は容易且確実である上に短期間に且安価に施工可能である。
又、白蟻による被害や腐食等により柱の一部が欠落あるいは劣化した場合などでも解体する事なく外部よりの補強が可能であり、台風や突風などの強風による壁体部の浮き上がりやネジレ及び大型自動車の振動等による建築物躯体のズレやゆがみの発生なども軽減あるいは防止する事ができる。
【図面の簡単な説明】
【図１】建築物倒壊防止補助構造体の実施例となるＬ字状金具の建築物への設置状況を示す断面図である。
【図２】建築物倒壊防止補助構造体の実施例となるＬ字状金具の建築物への設置状況を示す正面図である。
【図３】建築物倒壊防止補助構造体の実施例となるＬ字状金具の建築物への設置状況を示す斜視図である。
【図４】図３のａ−ａの断面図である。
【図５】図３のｂ−ｂの断面図である。
【図６】建築物倒壊防止補助構造体の実施例となるＬ字状金具の水平面（底辺）を二股とした場合の建築物コーナー部における設置状況を示す概観図である。
【図７】建築物倒壊防止補助構造体の実施例となるＬ字状金具の水平面（底辺）を扇状に広げた場合の建築物コーナー部における設置状況を示す概観図である。
【図８】建築物倒壊防止補助構造体の実施例となるＬ字状金具の各種形状及びその設置状況を示す概観図である。
【図９】建築物倒壊防止補助構造体の実施例となるＬ字状金具を桁部分迄延長し設置した場合の断面図である。
【符号の説明】
１  Ｌ字状金具
２  パッキン（スペーサー）
３  木部用ネジ
４  ワッシャー（座金）
５  コンクリート用ネジ
６  アンカーボルト
７  水平金具
１１  外周基礎
１２  布基礎
１３  土台
１４  柱
１５  桁
１６  ２×４住宅における支柱相当部分
１７  かもい
２１  土台締結用ネジ穴
２２  柱の最上部締結用ネジ穴
２３  柱の最下部締結用ネジ穴
２４  布基礎の最上部締結用ネジ穴
２５  布基礎の最下部締結用ネジ穴
２６  外周基礎締結用ネジ穴又は固定用ボルト穴
３１  Ｌ字状金具の折り曲げ（クランク）部の補強部分
３２  Ｌ字状金具の垂直面中央部の補強部分
３３  Ｌ字状金具の垂直面両側面部の補強部分
３４  Ｌ字状金具の水平面（底辺）中央部の補強部分
３５  Ｌ字状金具の水平面（底辺）両側面部の補強部分
４１  コーナー用二股型変形Ｌ字状金具
４２  コーナー用扇型変形Ｌ字状金具
４３  桁固定式コーナー用扇型変形Ｌ字状金具
４４  かもい固定式コーナー用二股型変形Ｌ字状金具
４５  支柱間固定金具
４６  柱基部以下拡幅型Ｌ字状金具
４７  入隅部用変形Ｌ字状金具
４８  ２×４住宅用Ｌ字状金具
４９  土台部拡幅型コーナー用変形Ｌ字状金具
【図１】
2004176407.tif 000003
【図２】
2004176407.tif 000004
【図３】
2004176407.tif 000005
【図４】
2004176407.tif 000006
【図５】
2004176407.tif 000007
【図６】
2004176407.tif 000008
【図７】
2004176407.tif 000009
【図８】
2004176407.tif 000010
【図９】
2004176407.tif 000011